(57)【要約】  本発明はアドレス、具体的にはIPアドレスにアクセスするブラウザを有するコンピュータ、コンピュータに接続されたカードリーダ、カードコードを有しカードリーダに挿入可能でカードリーダによる読み出しが可能な少なくとも１枚のデータカードを備えるマルチメディアシステムに関する。カードリーダはカードコードに基づいたデータ信号をコンピュータへ生成する。カードリーダのデータ信号は、特定アドレスを用いてブラウザを直接制御するキーボード信号に相当する。【選択図】図１【特許請求の範囲】
【請求項１】
アドレス、具体的にはＩＰアドレスにアクセスするブラウザ（２）を有するコンピュータ（１）と、
前記コンピュータに接続されたカードリーダ（３）と、
カードコード（５）を有し、前記カードリーダに挿入可能で前記カードリーダによる読み出しが可能な、少なくとも１枚のデータカード（４）と
を備え、
前記カードリーダは、前記カードコードに基づいたデータ信号（６）を前記コンピュータへ生成し、
前記カードリーダの前記データ信号は、特定アドレスを用いて前記ブラウザを直接制御するキーボード入力に相当するマルチメディアシステム。
【請求項２】
前記特定アドレスの一部が前記データカード（４）に格納され、前記特定アドレスの一部が前記カードリーダに格納される、請求項１に記載のマルチメディアシステム。
【請求項３】
前記特定アドレスの少なくとも一部と、前記特定アドレスのコンテンツを制御するコーディングとが前記データカード（４）に含まれる、請求項１に記載のマルチメディアシステム。
【請求項４】
前記特定アドレスがＵＲＬである、請求項１に記載のマルチメディアシステム。
【請求項５】
前記コンピュータ（１）と前記カードリーダ（３）との接続がＵＳＢ接続である、請求項１に記載のマルチメディアシステム。
【請求項６】
前記コンピュータ（１）は、あるアドレスのコンテンツを表示あるいは再生するマルチメディアプログラムを有し、前記ブラウザは、ある特定アドレスで要求される前記マルチメディアプログラムを自動的に起動する、請求項１に記載のマルチメディアシステム。
【請求項７】
前記データカード（４）は、印刷されたストレージエレクトロニクスを含む、請求項１に記載のマルチメディアシステム。
【請求項８】
前記ストレージエレクトロニクスは、印刷された導電性ポリマーで形成される、請求項１に記載のマルチメディアシステム。
【発明の詳細な説明】
【技術分野】
【０００１】
本発明は、アドレスにアクセスするブラウザを有するコンピュータ、コンピュータに接続されたカードリーダ、さらにカードリーダに挿入可能で特定アドレスを立ち上げるデータカードを備えたマルチメディアシステムに関する。
【背景技術】
【０００２】
ホームバンキングアプリケーションおよびゲームポータルなどの多くのコンピュータアプリケーションは、特定のインターネットアドレスからアクセス可能である。このためには、ブラウザにインターネットアドレス、また必要に応じてユーザ認証のためのその他の詳細をユーザが入力する必要がある。インターネットアドレスは、比較的長い場合が多く、ユーザ認証は、更なる入力を必要とする。多くの場合、インターネットアドレス、および必要に応じてパスワードを格納しておくことができるが、いずれにせよ、コンピュータの経験が豊富でないユーザにとってインターネットの使用は相当な問題である。
【０００３】
従って、特定のアプリケーションおよびウェブページへのアクセスを促進する努力がなされている。
【０００４】
独国特許出願公開第１９８４５５８２号明細書は、スマートカードの単純な用途を開示する。ここでは、スマートカードの外部でコンピュータプログラムが実行された際に、スマートカードに格納された情報が使用される。このためには、コンピュータにはカードリーダが接続され、関連のバックグラウンドプログラムがインストールされている。コンピュータは、カードリーダへのカードの挿入をバックグラウンドプログラムによって認識し、カードリーダに格納された情報を読み出す。この情報を用いることで、コンピュータ上あるいは別の場所で相関するプログラムが起動する。
【０００５】
このシステムによって特定のアプリケーションの起動がほぼ実施されるが、このシステムは、カードの挿入前に特定のバックグラウンドプログラムがインストールされ起動していることを前提としている。
【０００６】
本発明の基礎となる技術的課題は、特定アドレス、具体的にはＩＰアドレスへのアクセスがより容易になるシステムを特定することである。
【０００７】
この課題は請求項１の特徴による本発明によって解決する。
【０００８】
本発明におけるマルチメディアシステムは実質上、アドレス、具体的にはIPアドレスにアクセスするブラウザを有するコンピュータ、コンピュータに接続されたカードリーダ、およびカードコードを有し、カードリーダに挿入可能でカードリーダによる読み出しが可能な、少なくとも１枚のデータカードを備える。カードリーダは、カードコードに基づいたデータ信号をコンピュータへ生成する。カードリーダのデータ信号は、特定アドレスを用いてブラウザを直接制御するキーボード信号に相当する。
【０００９】
このようにして、コンピュータで実行するバックグラウンドプログラムを省くことができる。
【００１０】
ユーザは、通常キーボードを介して操作される、コンピュータに標準装備されたブラウザを使用するだけでよい。カードリーダがデータ信号を生成するので、ブラウザはデータ信号が示すアドレス、具体的には、ＩＰアドレスを自動的に取得することができる。従って、カードリーダがコンピュータに接続され、データカードが挿入されているだけでよい。
【００１１】
本発明の更なる実施形態は、従属項の主題である。
【００１２】
本発明のある実施形態によると、特定アドレスの一部分、具体的にはIPアドレスの一部分はデータカードに存在し、アドレスのその他の部分はカードリーダに格納される。これは、データカード上でカードコードが利用可能な領域がアドレス全体には不十分である場合に非常に重要である。さらにデータカードは、特定アドレスのコンテンツを制御するコーディングを有効的に備える。これは、例えば、ユーザ認証用のデータであってよい。
【００１３】
特定アドレスとは、好ましくはＵＲＬと呼ばれるアドレスである。
【００１４】
データカード、および特にカードコードは、任意のデザインであってよい。カードコードが印刷されたストレージエレクトロニクス、具体的には印刷された導電性ポリマーで形成されている場合、特に単純かつ安価に製造できる。
【００１５】
以下では、例示的な実施形態および図面によって、本発明の更なる利点および実施形態を詳細に説明する。
【図面の簡単な説明】
【００１６】
【図１】マルチメディアシステムのブロック図を示す。
【発明を実施するための形態】
【００１７】
図１に示すマルチメディアシステムは、基本的にアドレス２（具体的にはローカルまたはリモートネットワーク／コンピュータネットワーク上のアドレス）にアクセスするためのブラウザを有するコンピュータ１、コンピュータに接続されたカードリーダ３、およびカードリーダへの挿入およびカードリーダによる読み出しが可能な、少なくとも１枚のデータカード４を備える。データカード４は、カードコード５を有し、カードリーダ３は、カードコードに基づいたデータ信号６をコンピュータ１へ生成する。このデータ信号６は、特定アドレスを用いてブラウザを直接制御するキーボード信号に相当する。つまり、データカード４の挿入は、特定アドレスを取得するキーボードによる入力に相当する。
【００１８】
コンピュータ１とカードリーダ３との接続はＵＳＢ接続で有利に行う。この結果、ユーザは、コンピュータの空きＵＳＢスロットにカードリーダのＵＳＢプラグを挿入するだけでよい。今日のコンピュータは自動的に新しく接続されたハードウェアを認識する。カードリーダが従来のキーボード信号に相当するデータ信号を供給するので、コンピュータにインストールされ、必要に応じてデータ信号を変換する、バックグラウンドプログラムは不要となる。
【００１９】
長く完全なウェブアドレス、および特定アドレスコンテンツの制御のため任意に必要となる追加コーディングの格納は、多くの場合、データカードの限りあるメモリ容量を超過し得るメモリ領域を必要とする。例えば、カードコード５が、導電性ポリマーが印刷された、ストレージエレクトロニクスで形成されている場合がこれにあたる。この場合、データカード４には特定アドレスの一部のみを格納し、その他の部分はカードリーダ３に格納することが提案されている。さらに、特定アドレスのコンテンツの任意の制御に必要なコーディングはデータカードに格納される。
【００２０】
従って、銀行がカードリーダおよび個人用データカードをユーザに供給することで、ユーザが顧客口座へ容易にアクセスすることが可能である。ユーザのコンピュータに接続されたリーダにデータカードを挿入することで、顧客は自動的に銀行のホームページに即座にアクセスできる。また、ユーザの識別に必要なデータもカードに格納できるため、顧客は必要に応じてＰＩＮコードを入力するだけで銀行口座にアクセスできる。
【００２１】
本発明の１実施形態によると、完全なアドレスの可変部分をデータカード４に格納し、固定部分を永久的にカードリーダ３にプログラムした結果、データカードのメモリ要件が緩和される。カードリーダ３にデータカード４が挿入される度に、アドレスの可変部分と固定部分とが組み合わされて最終的な完全なアドレスを形成し、このアドレスが標準的なブラウザで表示される。例えば、データカードは９６ビットを有してよい。このうち、３２ビットでアドレスの一部を形成し、残りの６４ビットをデータカードの個々のコーディングおよび必要に応じたアプリケーションの制御に使用してよい。
【００２２】
但し、データカード４に十分なストレージ領域がある場合は、アドレス全体、および必要に応じて特定アドレスのコンテンツを制御するコーディングをカードコードに格納することも可能である。この場合、カードリーダに永久に格納された、部分的なアドレスにリンクしたアプリケーションに限らず起動することができるため、カードリーダの用途が広がる。
【００２３】
従って、例えば、コンピュータがウェブコンテンツを直接取得するべく、データカードを挿入することで、標準的なブラウザが自動的にコンテンツ（画像、音楽ビデオ等）を表示あるいは再生する正しい表示プログラム（マルチメディアプログラム）を起動することができる。
【００２４】
以上に説明したマルチメディアシステムは、コンピュータに不慣れなユーザであっても特定アドレス（ＩＰアドレス、ローカルあるいはリモートネットワークのアドレス）に到達できる単純な設備であることを特徴とする。
【図１】
2010537332.tif 000002
【国際調査報告】
2010537332.tif 000003
2010537332.tif 000004
2010537332.tif 000005
2010537332.tif 000006
2010537332.tif 000007
2010537332.tif 000008